(57)【特許請求の範囲】
【請求項１】
筐体と、内蔵部品と、内蔵部品に装着されて固定される左右１対の固定具と、個々の固定具に形成されて内蔵部品の左右の外面から立ち上がる起立板と、起立板の表裏面に重ね合わせられて接着される弾性薄片と、収容空間に配置されて、起立板の裏面側で弾性薄片を受ける受け部と、内蔵部品の左右の空間に配置されて受け部に固定され、受け部との間に起立板およびその表裏面の弾性薄片を挟み込む左右１対の保持具とを備えることを特徴とする電子機器。
【請求項２】
請求項１に記載の電子機器において、前記固定具は前記内蔵部品に着脱自在に固定されることを特徴とする電子機器。
【請求項３】
電子機器に内蔵されるための内蔵部品と、内蔵部品に装着されて固定される左右１対の固定具と、個々の固定具に形成されて内蔵部品の左右の外面から立ち上がる起立板と、起立板の表裏面に重ね合わせられて接着される弾性薄片と、内蔵部品の左右の空間に配置されて電子機器内の受け部に固定され、受け部との間に起立板およびその表裏面の弾性薄片を挟み込む左右１対の保持具とを備えることを特徴とする内蔵部品アセンブリ。
【請求項４】
請求項３に記載の内蔵部品アセンブリにおいて、前記固定具は前記内蔵部品に着脱自在に固定されることを特徴とする内蔵部品アセンブリ。
【請求項５】
電子機器に内蔵される内蔵部品に装着されて固定される左右１対の固定具と、個々の固定具に形成されて内蔵部品の左右の外面から立ち上がる起立板と、起立板の表裏面に重ね合わせられて接着される弾性薄片と、内蔵部品の左右の空間に配置されて電子機器内の受け部に固定され、受け部との間に起立板およびその表裏面の弾性薄片を挟み込む左右１対の保持具とを備えることを特徴とする緩衝装置。
【請求項６】
請求項５に記載の緩衝装置において、前記固定具は前記内蔵部品に着脱自在に固定されることを特徴とする緩衝装置。
【請求項７】
筐体と、内蔵部品と、内蔵部品に装着されて固定される固定具と、固定具に形成されて内蔵部品の外面から立ち上がる起立板と、起立板の表裏面に重ね合わせられて接着される弾性薄片と、収容空間に配置されて、起立板の裏面側で弾性薄片を受ける受け部と、起立板の表面側で受け部に対して固定され、受け部との間に起立板およびその表裏面の弾性薄片を挟み込む保持具と、着脱自在に内蔵部品に固定具を固定し、弾性薄片の外側でねじ頭を露出させるねじとを備えることを特徴とする電子機器。
【請求項８】
筐体と、内蔵部品と、内蔵部品に装着されて固定される固定具と、内蔵部品の外面に交差する平面に沿って内蔵部品の前後方向に延びる長尺板と、長尺板の前後端で長尺板の表裏面に重ね合わせられる緩衝部材と、内蔵部品の前後方向に長尺板より短尺に構成されて、長尺板の前後方向中央位置で固定具および長尺板を連結する連結片と、収容空間に配置されて、長尺板の裏面側で緩衝部材を受ける受け部と、長尺板の表面側で受け部に対して固定され、受け部との間に起立板およびその表裏面の緩衝部材を挟み込む保持具とを備えることを特徴とする電子機器。
【請求項９】
筐体と、内蔵部品と、内蔵部品に装着されて固定される固定具と、固定具に形成されて内蔵部品の外面から立ち上がる起立板と、起立板の表裏面に重ね合わせられる緩衝部材と、収容空間に配置されて、起立板の裏面側で緩衝部材を受ける受け部と、起立板の表面側で受け部に対して固定され、受け部との間に起立板およびその表裏面の緩衝部材を挟み込む保持具と、固定具から内蔵部品の外面に沿って広がって内蔵部品の発熱領域に辿り着く放熱板とを備えることを特徴とする電子機器。
【発明の詳細な説明】
【０００１】
【発明の属する技術分野】
本発明は、例えばノートブックパーソナルコンピュータ（ノートパソコン）や携帯情報端末（ＰＤＡ）といった持ち運び可能な電子機器に関し、特に、筐体と、筐体内の収容空間に受け入れられる例えばハードディスク駆動装置（ＨＤＤ）といった内蔵部品と、内蔵部品に取り付けられる緩衝部材ユニットとを備える電子機器に関する。
【０００２】
【従来の技術】
一般に、ノートパソコンでは、例えば特開平１１−２４２８８１号公報に開示されるように、収容空間の壁面と内蔵ＨＤＤとの間に緩衝部材を挿入することは広く行われる。こうした構成によれば、電子機器すなわちノートパソコンの筐体に加えられる衝撃は緩衝部材で吸収される。ＨＤＤは衝撃から保護されることができる。
【０００３】
【発明が解決しようとする課題】
前述の公報に記載される技術では、収容空間の壁面に直接に緩衝部材が貼り付けられる。したがって、緩衝部材の交換にあたって緩衝部材の取り外しや壁面の汚れ落とし（例えば接着剤の除去）に手間がかかってしまう。
【０００４】
こうした手間を省くにあたって、例えば特開平１１−１７７２６１号公報に開示されるように、電子機器の筐体や内蔵ＨＤＤと緩衝部材とを完全に切り離すことも考えられる。この場合には、緩衝部材は、１対の半体同士の間で内蔵ＨＤＤを挟み込みつつ筐体およびカバーの間に挟み込まれなければならない。したがって、前述の公報に記載される技術に比べて、緩衝部材は比較的に簡単に交換されることができるものの、面倒な作業を経なければＨＤＤを交換することはできない。
【０００５】
本発明は、上記実状に鑑みてなされたもので、緩衝部材や内蔵部品の交換作業の効率化および簡素化に寄与することができる電子機器内蔵部品用緩衝装置を提供することを目的とする。
【０００６】
【課題を解決するための手段】
上記目的を達成するために、本発明によれば、筐体と、内蔵部品と、内蔵部品に装着されて固定される固定具と、固定具に形成されて内蔵部品の外面から立ち上がる起立板と、起立板の表裏面に位置する緩衝部材と、収容空間に配置されて、起立板の裏面側で緩衝部材を受ける受け部と、起立板の表面側で受け部に対して固定され、受け部との間に起立板およびその表裏面の緩衝部材を挟み込む保持具とを備えることを特徴とする電子機器が提供される。こういった電子機器では、緩衝部材は弾性薄片で構成されればよい。しかも、固定具は内蔵部品に着脱自在に固定されればよい。
【０００７】
その他、本発明によれば、筐体と、筐体内の収容空間に受け入れられる内蔵部品と、内蔵部品の外面に重ね合わせられてその外面に着脱自在に固定される固定板と、固定板に一体に形成されて内蔵部品の外面から立ち上がる起立板と、起立板の表裏面に重ね合わせられてその表裏面に接着される１対の弾性薄片と、収容空間に配置されて、起立板の裏面側で弾性薄片を受け止める不動の台座と、起立板の表面側で台座に対して相対変位不能に固定されて、台座との間に起立板およびその表裏面の弾性薄片を挟み込む保持具とを備えることを特徴とする電子機器が提供されてもよい。
【０００８】
こうした電子機器では、例えば内蔵部品、固定板、起立板および弾性薄片で内蔵部品アセンブリは構成されることができる。筐体内の収容空間では、保持具の働きでこういった内蔵部品アセンブリは固定される。このとき、筐体に加わる衝撃や振動は、保持具や台座から内蔵部品や固定板、起立板に行き着く以前に弾性薄片によって吸収されることができる。したがって、内蔵部品は衝撃や振動から保護されることができる。しかも、内蔵部品、固定板、起立板および弾性薄片は１アセンブリ（ユニット）として比較的に簡単に取り扱われることができる。
【０００９】
しかも、こうした電子機器では、固定板、起立板および弾性薄片によって緩衝部材ユニットは構成されることができる。こうした緩衝部材ユニットは、比較的に簡単な作業で内蔵部品に取り付けられたり内蔵部品から取り外されたりすることができる。したがって、内蔵部品の交換にあたって作業は簡素化される。弾性薄片の老朽化や破損などに起因して弾性薄片の交換が要求される場合には、起立板から弾性薄片を引き剥がすことなく、起立板ごと緩衝部材ユニット全体が交換されればよい。内蔵部品の交換や緩衝部材の交換は効率化されることができる。
【００１０】
特に、以上のような緩衝部材ユニットは、例えばノートブックパーソナルコンピュータ（ノートパソコン）に内蔵ハードディスク駆動装置（ＨＤＤ）を組み込む際に用いられることができる。緩衝部材ユニットはＨＤＤの左右両側面に取り付けられればよい。このとき、各緩衝部材ユニットの起立板は、ＨＤＤの側面から垂直方向に立ち上がればよい。こういった場合には、起立板およびその表裏面の弾性薄片の総厚みはＨＤＤの厚みよりも小さく設定されることが望まれる。こうした厚みによれば、ＨＤＤの厚みを増加させることなく十分な緩衝作用を確保することが可能となる。ただし、緩衝部材ユニットは、ＨＤＤ以外のコンピュータ内蔵機器に適用されてもよい。
【００１１】
【発明の実施の形態】
以下、添付図面を参照しつつ本発明の一実施形態を説明する。
【００１２】
図１は電子機器としてのノートブックパーソナルコンピュータ（ノートパソコン）１１を概略的に示す。このノートパソコン１１は、例えばマザーボード（図示せず）が組み込まれた機器本体１２と、この機器本体１２に揺動自在に連結されるディスプレイパネル１３とを備える。ディスプレイパネル１３には例えば液晶ディスプレイ（ＬＣＤ）１４が組み込まれる。
【００１３】
マザーボードには例えばＣＰＵ（中央演算処理装置）やメモリが実装される。ＣＰＵの演算処理にあたって、マザーボードは、キーボード１５（キーは図示されず）やポインティングデバイス１６といった入力装置のほか、機器本体１２に組み込まれたフロッピーディスク駆動装置（ＦＤＤ）１７やコンパクトディスク（ＣＤ）駆動装置１８といった周辺機器を制御する。演算処理の結果は例えばＬＣＤ１４上に表示されることができる。
【００１４】
ＦＤＤ１７は機器本体１２の筐体１９に埋め込まれる。ＦＤＤ１７の正面には、筐体１９の側面で開口してフロッピーディスク（ＦＤ）２１を受け入れるスロット２２が形成される。ＦＤ２１は、筐体１９の側面に直交する姿勢を維持されつつスロット２２からＦＤＤ１７内に進入することができる。
【００１５】
図２に示されるように、機器本体１２の筐体１９には収容空間２３が区画される。この収容空間２３は機器本体１２の背面で開口する。すなわち、例えばノートパソコン１１の使用時に機器本体１２が机上に設置されると、この収容空間２３の開口は机の表面に向き合う。収容空間２３には、内蔵部品アセンブリとしてのハードディスク駆動装置（ＨＤＤ）アセンブリ２４と前述のＦＤＤ１７とが収容される。ＦＤＤ１７は収容空間２３の開口を閉鎖する。こうして収容空間２３にＦＤＤ１７が組み入れられると、図３から明らかなように、ＦＤＤ１７の底板は機器本体１２の背面を規定する。
【００１６】
再び図２を参照し、ＨＤＤアセンブリ２４は内蔵部品としてのＨＤＤ２５を備える。ＨＤＤ２５には、周知の通り、例えば水平方向ＨＲに広がる記録媒体すなわち磁気ディスク（図示せず）と、こういった磁気ディスクの表裏面に対向する磁気ヘッド（図示せず）とが内蔵される。ＨＤＤ２５の水平方向ＨＲ両側には１対の緩衝装置すなわち緩衝部材ユニット２６が着脱自在に取り付けられる。
【００１７】
図４を併せて参照すると明らかなように、各緩衝部材ユニット２６は、ＨＤＤ２５の外面すなわち左右の側面に重ね合わせられる固定板２７といった固定具を備える。固定板２７は前後１対の連結具すなわち止めねじ２８によってＨＤＤ２５の側面に着脱自在に固定される。固定板２７はＨＤＤ２５の側面に沿って広がればよい。ＨＤＤ２５の側面は、例えば水平方向ＨＲに直交しつつ前後方向に広がればよい。
【００１８】
固定板２７には、ＨＤＤ２５の外面から立ち上がる前後１対の起立板２９が一体に形成される。起立板２９は、ＨＤＤ２５の左右の側面から水平方向ＨＲに広がればよい。すなわち、各起立板２９はＨＤＤ２５の側面にほぼ直交すればよい。固定板２７および１対の起立板２９は、例えば金属製平板から打ち抜かれた１枚の金属板から成形されることができる。起立板２９の形成にあたって、打ち抜かれた金属板は折り曲げられればよい。
【００１９】
起立板２８の表裏面には各々緩衝部材が配置される。各緩衝部材は、起立板２８の表裏面に重ね合わせられて接着される矩形の弾性薄片３１ａ、３１ｂから構成される。同時に、緩衝部材は、固定板２７の表面に前後２カ所で重ね合わせられて接着される矩形の弾性薄片３１ｃを備えていてもよい。こういった弾性薄片３１ａ〜３１ｃは弾性シート材から切り出されればよい。例えばソルボセイン（商品名）といった安価な既製品が弾性シート材に利用されれば、製造コストの低減は実現されることができる。しかも、緩衝部材を独自に設計する場合に比べて、著しく製造工程は簡略化されることができる。生産効率は向上される。弾性薄片３１ａ〜３１ｃは十分な衝撃吸収力および（または）防振性を発揮する。
【００２０】
収容空間２３には、起立板２９の裏面側で弾性薄片３１ｂを受け止める受け部すなわち不動の台座３２が配置される。この台座３２は収容空間２３の天井面２３ａに一体に形成されればよい。その一方で、起立板２９の表面側には、台座３２に対して相対変位不能に保持具３３が配置される。保持具３３は、例えば前後１対の連結具すなわち止めねじ３４によって収容空間２３の天井面２３ａに着脱自在に固定される。
【００２１】
保持具３３は、台座３２に向き合って台座３２との間に起立板２９およびその表裏面の弾性薄片３１ａ、３１ｂを挟み込む第１水平板３５と、この第１水平板３５から離隔して第１水平板３５に平行に広がる第２水平板３６とを備える。これら第１および第２水平板３５、３６は垂直板３７によって相互に連結される。左右から保持具３３によってＨＤＤアセンブリ２４が挟み込まれると、固定板２７上の弾性薄片３１ｃは左右の垂直板３７で受け止められる。すなわち、２つの垂直板３７同士の間には、ＨＤＤ２５や左右の固定板２７、各固定板２７に接着された左右の弾性薄片３１ｃが挟み込まれる。こうした第１および第２水平板３５、３６と垂直板３７とは、例えば金属製平板から打ち抜かれた１枚の金属板から成形されればよい。打ち抜かれた金属板が折り曲げられると、垂直板３７に対して第１および第２水平板３５、３６は形作られることができる。こうして第１および第２水平板３５、３６の形成によって保持具３３が回転対称に形作られると、起立板２９の挟み込みにあたって第１および第２水平板３５、３６のいずれも利用されることが可能となる。保持具３３の取り付けにあたって保持具３３の向きを気にする必要はなくなる。したがって、保持具３３の取り扱いは効率化されることができる。
【００２２】
こうした緩衝部材ユニット２６によれば、一連の剛体すなわちＨＤＤ２５や固定板２７、起立板２９は、弾性薄片３１ａ〜３１ｃ以外で筐体１９やＦＤＤ１７その他の剛体に接触することはない。例えば機器本体１２の筐体１９に垂直方向ＨＶに衝撃が加わっても、そういった衝撃は弾性薄片３１ａ、３１ｂで確実に吸収される。したがって、ＨＤＤ２５は衝撃から保護されることができる。こういった衝撃は、例えば机上にノートパソコン１１を設置する際などに引き起こされることがある。その一方で、例えば機器本体１２の筐体１９に水平方向ＨＲに衝撃が加わっても、そういった衝撃は弾性薄片３１ｃで吸収されることができる。その結果、ＨＤＤ２５は衝撃から保護される。
【００２３】
一般に、ＨＤＤ２５では、水平方向ＨＲに比べて垂直方向ＶＲに変形しやすいサスペンション上に磁気ヘッドは支持される。したがって、ＨＤＤ２５に垂直方向ＶＲに衝撃が加わると、磁気ヘッドと磁気ディスクとの間で衝突が引き起こされやすい。前述の緩衝部材ユニット２６のように、水平方向ＨＲに比べて垂直方向ＶＲに大きな弾性力が確保されれば、衝突に起因する磁気ヘッドや磁気ディスクの損傷は十分に回避されることができる。
【００２４】
特に、前述の緩衝部材ユニット２６では、起立板２９およびその表裏面の弾性薄片３１ａ、３１ｂの総厚みＤ１はＨＤＤ２５の厚みＤ２よりも小さく設定されることが望まれる。こうした厚みＤ１によれば、ＨＤＤ２５の厚みＤ２を増加させることなく十分な緩衝作用を確保することが可能となる。筐体１９すなわち機器本体１２の薄型化に大いに貢献することができる。
【００２５】
以上のようなノートパソコン１１でＨＤＤ２５を交換する場面を想定する。こういった交換は、ＨＤＤ２５の性能を向上させるにあたって活用される。すなわち、こういった交換では、記録容量の大きなＨＤＤ２５で記録容量の小さなＨＤＤ２５が置き換えられたり、磁気ディスクの回転速度の速いＨＤＤ２５で回転速度の遅いＨＤＤ２５が置き換えられたりする。
【００２６】
まず作業者は、図４に示されるように、筐体１９からＦＤＤ１７を取り外す。この取り外しによって、収容空間２３の開口は開放される。機器本体１２の背面でＨＤＤアセンブリ２４は露出する。止めねじ３４の固定が解除されると、保持具３３とともにＨＤＤセンブリ２４は筐体１９から取り外されることができる。
【００２７】
その後、例えば図５に示されるように、止めねじ２８の固定が解除されると、緩衝部材ユニット２６はＨＤＤ２５から取り外される。緩衝部材ユニット２６は新たなＨＤＤ２５に装着されればよい。こうして構成されたＨＤＤアセンブリ２４は再び筐体１９内の収容空間に組み込まれる。ただし、ＨＤＤ２５は、緩衝部材ユニット２６を含むＨＤＤアセンブリ２４ごと交換されてもよい。
【００２８】
例えば弾性薄片３１ａ〜３１ｃの損傷や劣化に応じて弾性薄片３１ａ〜３１ｃの交換が要求される場合には、同様に、ＨＤＤアセンブリ２４は筐体１９から取り外される。起立板２９や固定板２７から弾性薄片３１ａ〜３１ｃを引き剥がすことなく、起立板２９や固定板２７ごと緩衝部材ユニット２６全体は交換されればよい。その結果、筐体１９の表面から接着剤を拭い去るといった手間は回避されることができる。緩衝部材の交換は効率化されることができる。
【００２９】
図６に示されるように、緩衝部材ユニット２６では、前述の弾性薄片３１ａ〜３１ｃによる衝撃吸収に加えて、起立板２９で衝撃吸収が実現されてもよい。このとき、起立板２９は、前後方向に大きく延びて、前後端で１対ずつの弾性薄片３１ａ、３１ｂを支持する長尺板４１と、この長尺板４１の前後方向中央位置で固定板２７から長尺板４１に向かって延びる連結片４２とで構成されればよい。こうした構成によれば、前後方向に長い長尺板４１の前後端で台座３２および保持具３３の間に長尺板４１が挟み込まれると、長尺板４１の前後方向中央付近では相応の弾性変形が許容されることができる。こうした弾性変形の結果、前述の弾性薄片３１ａ〜３１ｃ単独の場合に比べて大きな衝撃が緩衝部材ユニット２６で吸収されることができる。なお、固定板２７および起立板２９は、前述と同様に、例えば金属製平板から打ち抜かれた１枚の金属板から成形されればよい。
【００３０】
その他、図７に示されるように、緩衝部材ユニット２６では、ＨＤＤ２５の外面に沿って広がってＨＤＤ２５の発熱領域に辿り着く放熱板４３が一体に形成されてもよい。こうした構成によれば、発熱領域で生成される熱の拡散は放熱板４３の働きで促進されることができる。したがって、発熱領域の温度上昇は極力低減されることができる。なお、固定板２７、起立板２９および放熱板４３は、前述と同様に、例えば金属製平板から打ち抜かれた１枚の金属板から成形されればよい。
【００３１】
【発明の効果】
以上のように本発明によれば、緩衝部材や内蔵部品の交換作業の効率化および簡素化は達成されることができる。
【図面の簡単な説明】
【図１】  ノートブックパーソナルコンピュータ（ノートパソコン）の外観を概略的に示す斜視図である。
【図２】  筐体内に区画される収容空間の様子を示す一部拡大断面図である。
【図３】  ノートパソコンの背面の様子を概略的に示す斜視図である。
【図４】  筐体、ハードディスク駆動装置（ＨＤＤ）アセンブリおよびフロッピーディスク（ＦＤＤ）駆動装置の分解斜視図である。
【図５】  ＨＤＤアセンブリの分解斜視図である。
【図６】  他の実施形態に係る緩衝部材ユニットを概略的に示すＨＤＤアセンブリの斜視図である。
【図７】  さらに他の実施形態に係る緩衝部材ユニットを概略的に示すＨＤＤアセンブリの斜視図である。
【符号の説明】
１１  電子機器としてのノートブックパーソナルコンピュータ（ノートパソコン）、１９  筐体、２３  収容空間、２４  内蔵部品アセンブリとしてのハードディスク駆動装置（ＨＤＤ）アセンブリ、２５  内蔵部品としてのＨＤＤ、２６緩衝部材ユニット、２７  固定具としての固定板、２９  起立板、３１ａ，３１ｂ  緩衝部材としての弾性薄片、３２  受け部としての台座、３３  保持具。
【図１】
0003792474.tif 000002
【図２】
0003792474.tif 000003
【図３】
0003792474.tif 000004
【図４】
0003792474.tif 000005
【図５】
0003792474.tif 000006
【図６】
0003792474.tif 000007
【図７】
0003792474.tif 000008